(57)【特許請求の範囲】
【請求項１】
電気機械のステータのためのコイル（１０）であって、
電気機械の軸線周りに配置され、
−巻き部（２２，６２）を持つ巻き枠（２０，６０）を備え、巻き部は、巻線支持体（２４，６４）と、当該巻線支持体（２４，６４）に接続され且つ巻き部（２２，６２）の境界をなす二つの脚部（３０，４０；７０，８０）とにより形成されており、少なくとも一つの脚部（４０）が第一のワイヤ案内部（４２ａ，ｂ）を有し、
−巻き枠（２０，６０）上に配置されていて巻線ワイヤ（８２ｄ）からなるコイル巻線（８２）を備え、コイル巻線が、巻線始端部（８４ａ）及び巻線終端部（８４ｅ）と、巻線始端部（８４ａ）及び巻線終端部（８４ｅ）からそれぞれ延びるコイル端部（８２ａ，８２ｅ）とを持ち、
−コイル端部（８２ａ，８２ｅ）が、第一のワイヤ案内部（４２ａ，４２ｂ）に一定のあそびをもたせて案内されているとともにそこから半径方向に方向を変えることなく当該コイル（１０）の外に出て、配線装置の共通環状導体に接続されるコイルにおいて、
コイル端部（８２ａ，８２ｅ）が、巻線始端部（８４ａ）又は巻線終端部（８４ｅ）と、第一のワイヤ案内部（４２ａ，４２ｂ）との間に、自由ワイヤ部（８６）を有し、当該自由ワイヤ部において、巻線ワイヤ（８２ｄ）が支持なしで敷設され、
自由ワイヤ部（８６）は、コイル巻線と配線装置との間の交互の動きの影響がある状態で、コイル自由端部（８２ａ，８２ｅ）が自由に動けることにより、エネルギーを散逸することを特徴とするコイル。
【請求項２】
請求項１に記載のコイルにおいて、
自由ワイヤ部（８６）は、巻線始端部（８４ａ）又は巻線終端部（８４ｅ）と第一のワイヤ案内部（４２ａ，４２ｂ）との距離よりも長い長さを有している
ことを特徴とするコイル。
【請求項３】
請求項１又は２に記載のコイルにおいて、
巻き枠（２０）は、第一のワイヤ案内部（４２ａ，４２ｂ）の向かい側の脚部（３０）に第二のワイヤ案内部（４４ａ，４４ｂ）を有し、当該第二のワイヤ案内部に巻線始端部（８４ａ）及び／又は巻線終端部（８４ｅ）が配置されており、自由ワイヤ部（８６）が、第一のワイヤ案内部（４２ａ，４２ｂ）と第二のワイヤ案内部（４４ａ，４４ｂ）との間に延在していることを特徴とするコイル。
【請求項４】
請求項２又は３に記載のコイルにおいて、
自由ワイヤ部（８６）がＵ字状の湾曲部（８８）を有していることを特徴とするコイル。
【請求項５】
請求項２乃至４のいずれか一項に記載のコイルにおいて、
自由ワイヤ部（８６）は、螺旋状の部分（９０，９２）を有していることを特徴とするコイル。
【発明の詳細な説明】
【技術分野】
【０００１】
本発明は、請求項１のおいて書きに記載された電気機械のためのコイルに関する。
【背景技術】
【０００２】
プラスチック製の巻き枠を持つ同種のコイルが特許文献１より公知とされている。巻き枠は、ワイヤ巻線を受けるための巻き部を有し、巻き部は、電気機械のステータ板積層体（Ｓｔａｔｏｒｂｌｅｃｈｐａｋｅｔ）に接する（Ａｎｌａｇｅ）ように構成された巻線支持体と、巻線支持体に接続され且つ巻き部の境界をなす二つの脚部とによりそれぞれ形成されている。この文献では、コイル端部は、すぐ傍の配線装置の複数の共通環状導体（Ｒｉｎｇｌｅｉｔｅｒ）に接続され、例えばΔ結線ないしスター結線（Ｄｒｅｉｅｃｋ−  ｏｄｅｒ  Ｓｔｅｒｎｓｃｈａｌｔｕｎｇ）で接続され、それにより機械的に固定される。このとき、コイル端部は、できるだけ短い経路で配線位置に導かれる。
【０００３】
この種の装置は、運転状況下、特に内燃機関と連動することで車両パワートレイン内に発生する振動にさらされる。その際に相対的な動きが生じ、コイル巻線と配線装置とが常に交互に行ったり来たりする負荷が発生し、そのときに、とりわけコイル端部に負荷がかかる。その結果、巻線ワイヤの絶縁被覆が破損し、異なる電位にある導体部材間のショートが発生する可能性がある。最悪の場合、この部分に断線が発生するかもしれず、これにより、出力の制限や電気機械の故障につながる可能性がある。
【先行技術文献】
【特許文献】
【０００４】
【特許文献１】独国特許出願公開第１９８５０８１８号明細書
【発明の概要】
【発明が解決しようとする課題】
【０００５】
本発明は、上述の従来技術において、振動影響下でのより高い耐久性とより高い動作信頼性とに供する冒頭に述べた類のコイルを提供することを課題とする。
【課題を解決するための手段】
【０００６】
この課題は、請求項１に示された特徴を有した同種のコイルにより解決される。本発明の有利な実施形態と発展態様は、従属請求項から明らかになる。
【０００７】
本明細書で提示されるコイル、特に電気機械のステータのためのコイルは、先ず、巻き部を持つ巻き枠を備え、巻き部は、巻線支持体と、当該巻線支持体に接続され且つ巻き部の境界をなす二つの脚部とにより形成されており、少なくとも一つの脚部が第一のワイヤ案内部を有している。さらに、当該コイルは、巻き枠上に配置されていて巻線ワイヤからなるコイル巻線を備え、コイル巻線が、巻線始端部及び巻線終端部と、巻線始端部及び巻線終端部からそれぞれ延びるコイル端部とを持ち、当該コイル端部が、第一のワイヤ案内部に配置されているとともにそこから当該コイルの外に出る。
【０００８】
巻線始端部や巻線終端部とは、コイル巻線が、周回し巻き付くコイルの巻き方向に入っていく或いはコイルの巻き方向から出て来る部分であって、コイルとしてぐるぐる巻かれるワイヤに対して、方向が転換させられる部分であると捉えてもらいたい。換言すれば、巻線始端部及び巻線終端部は、コイル巻線がまさに始まるところであり、或いはまさに終わるところである。この部分は、必要に応じてさらに、巻線ワイヤとして自己融着エナメル線（Ｂａｃｋｌａｃｋｄｒａｈｔ）を使用することで、ベーキングによりその他の巻線部に機械的に固定することができる。
【０００９】
ワイヤ案内部とは、巻線ワイヤないしコイル端部を脚部の所定位置においてそれらが殆ど動けないように制限し、一定のあそびを許容できるようにしつつ少なくとも一方向にコイル端部を導く、脚部に形成された手段であると捉えてもらいたい。もちろん、二つの独立した空間的方位或いは三つ全ての独立した空間的方位においても自由に動けないように制限されていてもよい。コイル線は、方向を変えることなく第一のワイヤ案内部を通るのでもよい。これにより、一定のあそびをもたせつつ、ほとんど邪魔されないようにして、コイル配線装置の方に出て行くことが可能になる。そして、そのコイル配線装置にコイル端部が固定される或いは固定されているようにできる。
【００１０】
本発明によれば、コイルは、とりわけ、コイル端部が、巻線始端部又は巻線終端部と、第一のワイヤ案内部との間に、自由ワイヤ部を有し、当該自由ワイヤ部において、巻線ワイヤが支持なしで敷設されている点で優れている。その基本的思想は、従来技術に開示されているようにコイル端部をその全長にわたりコイル自体に固定する代わりに、コイルに形成されたコイル端部が自由に動ける、とりわけ自由に振動できるようにすることにある。例えば、運転状況下の振動のために部材にねじれが発生すると、それにより強いられるワイヤの変形は、比較的長い長さ部分に加わり、その結果、単位長さあたりの変形がより少なくなる。巻線ワイヤが、少なくとも概ねその弾性変形領域内で機械的な負荷を受け、それにより破壊に至る損傷メカニズムが克服されていることで、従来繰り返し生じ且つ最終的に脆性破壊に至る巻線ワイヤの塑性変形は、略防ぐことができる。
【００１１】
コイル端部は、そのまま、つまり略最短経路で、巻線始端部及び／又は巻線終端部と第一のワイヤ案内部との間に、ある程度の振動の自由が生じるようにして敷設することができる。発展形態では、自由ワイヤ部は、長所を有して巻線始端部又は巻線終端部と第一のワイヤ案内部との距離よりも長い長さを有している。これにより、単位長さ当たりに働く外部の力は、さらに低減することができ、このとき、自由ワイヤ部の固有振動数は低下する。そのため、コイル端部の長さがより長いことで、機械的な干渉の影響に対し、より良好に動きを調整する効果がある。
【００１２】
巻き枠は、他の長所を有して第一のワイヤ案内部の向かい側の脚部に第二のワイヤ案内部を有し、この第二のワイヤ案内部に巻線始端部及び／又は巻線終端部が配置されている。この第二のワイヤ案内部は、一方では、ワイヤの向きをワイヤ巻き方向から向かい側の脚部の方へと転換させる役割をし、他方では、巻線始端部及び巻線終端部において巻線ワイヤの引張り負荷を軽減する働きをする。構造的には、この目的のために例えばピン、突出部、反転溝又はそれらと同類のものが、脚部に形成されていてもよい。従って、自由ワイヤ部は、第一のワイヤ案内部と第二のワイヤ案内部との間に延在している。
【００１３】
本明細書において基本的に提示される解決手段の範囲内で、自由ワイヤ部は、Ｕ字状の湾曲部を有している。この湾曲部は、例えば、コイル巻線の巻回面内に、或いは巻回面に垂直に形成されていてもよい。この種の湾曲部を形成することで、簡単な方法で自由ワイヤ部をかなり長くすることができる。この解決手段は、特に、第一のワイヤ案内部を持つ脚部に空間的に隣接して巻線始端部及び／又は巻線終端部が形成されているコイルに応用することができる。そして、このワイヤ案内部を通って、巻線ワイヤがコイルを後にする。
【００１４】
上述のものに代わる或いは加わる実施形態により、自由ワイヤ部は、外部から加えられる振動エネルギーを散逸できるように、少なくとも部分的に螺旋状に形成されていてもよい。この種の構成は、巻線始端部及び／又は巻線終端部が第一のワイヤ案内部を持つ脚部から空間的に隔てられて形成されているコイルの場合に特に−とはいってもそれだけに限られるわけではないが−用いることができる。そして、この第一のワイヤ案内部を通って巻線ワイヤがコイルを後にし、他方の脚部では、第二のワイヤ案内部により巻線ワイヤが導かれる。
【００１５】
以下に、図面に示された実施形態に基づいて本発明を具体的に説明する。
【図面の簡単な説明】
【００１６】
【図１ａ】自由ワイヤ部を二つ形成した状態で巻き枠の脚部に固定されたコイル端部を有する、電気機械のステータのための個別のティースコイルを二つ別々に示す図である。
【図１ｂ】自由ワイヤ部を二つ形成した状態で巻き枠の一つの脚部に固定されたコイル端部を有する、電気機械のステータのための個別のティースコイルを二つ別々に示す図である。
【図２ａ】自由ワイヤ部を二つ形成した状態で巻き枠の二つの脚部に固定されたコイル端部を有する、電気機械のステータのための個別のティースコイルを別々に示す図である。
【図２ｂ】自由ワイヤ部を二つ形成した状態で巻き枠の二つの脚部に固定されたコイル端部を有する、電気機械のステータのための個別のティースコイルを別々に示す図である。
【図２ｃ】自由ワイヤ部を二つ形成した状態で巻き枠の二つの脚部に固定されたコイル端部を有する、電気機械のステータのための個別のティースコイルを別々に示す図である。
【図２ｄ】自由ワイヤ部を二つ形成した状態で巻き枠の二つの脚部に固定されたコイル端部を有する、電気機械のステータのための個別のティースコイルを別々に示す図である。
【発明を実施するための形態】
【００１７】
同一の物、動作単位又は同等の構成要素は、全ての図面にわたり同じ符号が付されている。さらに、一実施例中又は一図面中に幾つも登場するが一又は複数の特徴に関しては共通に記載されている構成要素及び対象に対して、まとまった符号が用いられている。同じ又はまとまった符号により記載されている構成要素又は対象は、記載から何か別のことが明らかに或いは暗に導かれない限り、個々の、幾つかの又は全ての特徴（例えばその寸法）が、同じに−とはいえ必要に応じて別々に−形成されていることが可能である。
【００１８】
図１ａ，１ｂ及び図２ａ−ｄは、それぞれコイル１０を示し、特に、ここでは不図示の電気機械のステータ（例えば、永久磁石同期機（ｐｅｒｍａｎｅｎｔ  ｅｒｒｅｇｔｅ  Ｓｙｎｃｈｒｏｎｍａｓｃｈｉｎｅ）のステータのため）のティースに配置するものを示す。
【００１９】
コイル１０は、端面側にエンドキャップとして一つのステータティース（Ｓｔａｔｏｒｚａｈｎ）に配置可能な樹脂製の巻き枠２０，６０を二つ有し、これらがそれぞれ巻き部２２，６２を有している。巻き部２２，６２は、ステータティースに設置するように規定される巻線支持体２４，６４と、巻線支持体２４，６４に接続され且つ当該巻き部２２，６２の境界をなす二つの脚部３０，４０；７０，８０とにより形成されている。巻き枠２０は、この点までは既知の巻き枠に対応している。巻き枠２０，６０の間には、両側に他の巻き部１２ａが形成されている。この巻き部は、ステータにコイル１０を取り付けた状態では、一つのステータティースに接するように延在する。
【００２０】
巻き枠２０，６０には、曲げが可能で比較的形状が安定な巻線ワイヤ８２ｄ、とりわけエナメル銅線からなるワイヤ巻線８２ないしコイル巻線８２が配置されている。従って、ワイヤ巻線８２は、巻き部１２ａ，２２，６２から形成された空間を内包する。コイル１０が、自由な二つのコイル端部８２ａ，８２ｅないし巻線端部８２ａ，８２ｅを有しており、これら二つのコイル端部が、巻き枠２０に、さらには脚部４０にもともども敷設され或いはそこに案内されていることが分かる。コイル端部８２ａ，８２ｅは、外から入っていくようにしてコイル１０を見ると、巻線始端部８４ａへ入って行き、巻線終端部８４ｅで移る。
【００２１】
巻線始端部８４ａや巻線終端部８４ｅとは、コイル巻線８２が、周回し巻き付くコイルの巻き方向に入っていく、或いはコイルの巻き方向から出て来る部分であって、コイル１０としてぐるぐる巻かれたワイヤ８２ｄに対し、方向が転換させられる部分であると捉えてもらいたい。換言すれば、巻線始端部８４ａ及び巻線終端部８４ｅは、コイル巻線８２がまさに始まるところであり、或いはまさに終わるところである。
【００２２】
コイル端部８２ａを導くために、脚部４０には、ここでは溝形状ないしスリット状に形成された第一のワイヤ案内部４２が設けられており、この中に巻線ワイヤ８２ｄが固定され、そこで一定のあそびをもたせて三つの面を用いて案内され、このとき、コイル線８２ｄは、方向を変えることなく、ほとんど邪魔されることなく、ここでは不図示のコイル配線装置の方に出て行くことができる。
【００２３】
符号４２ａによりワイヤ導入部が、符号４２ｂによりワイヤ導出部が示されている。巻線端部８２ａ，８２ｅを固定ないし導くことで、一方では、ワイヤ巻線８２の形状を維持するのに役立ち、他方では、これにより自由なコイル端部ないし巻線端部８２ａ，８２ｅが所定のやり方で空間的に整えられることになり、コイル１０の外にある場所に、例えば溶接、ろう付け、かしめ（Ｖｅｒｋｒｉｍｐｅｎ）又は類似の方法により結線（Ｖｅｒｓｃｈａｌｔｕｎｇ）する準備が整うことになる。
【００２４】
図１ａ，ｂ；２ａ−ｄにより示されたコイル１０は、いずれも、コイル端部８２ａ，８２ｅが、巻線始端部８４ａないし巻線終端部８４ｅと、第一のワイヤ案内部４２、すなわちワイヤ導入部４２ａ及びワイヤ導出部４２ｂとの間に、自由ワイヤ部８６ａ−ｍを有しており、この部分では、巻線ワイヤ８２ｄが支持なしで敷設されているという点で共通している。この自由ワイヤ部８６により、コイル端部８２ａ，８２ｅは、激しい振動の影響を受けても自由に動くことができ、それにより、もたらされたエネルギーを破壊を伴わずに散逸させることができる。
【００２５】
加えて、図示された全ての実施例において、自由ワイヤ部８６は、巻線始端部８４ａないし巻線終端部８４ｅと、第一のワイヤ案内部４２との距離よりも長い長さを有している。図１ａ及び１ｂでは、自由ワイヤ部８６ａ−ｄは、さらに、それぞれがＵ字状の湾曲部８８を有している。この湾曲部は、図１ａでは、概ねコイル巻線８２の巻回面内に、図１ｂでは、巻回面に垂直に形成されている。巻回面とは、コイル巻線８２における巻線ワイヤ８２ｄの一周分により規定される面のことである。図１ａ，ｂにより示されたコイル１０において、巻線始端部８４ａ及び巻線終端部８４ｂは、第一のワイヤ案内部４２を有する脚部４０に空間的に隣接して形成されている。そして、このワイヤ案内部４２を通って、巻線ワイヤ８２ｄがコイル１０を後にする。
【００２６】
図２ａ−ｄにより示された実施例において、巻き枠２０は、第一のワイヤ案内部４２の向かい側の脚部３０に第二のワイヤ案内部４４；４４ａ，ｂを有しており、ここに巻線始端部８４ａ及び巻線終端部８４ｅが配置されている。この第二のワイヤ案内部４４は、一方では、ワイヤの向きをワイヤ巻き方向から向かい側の脚部４０の方へと転換させる役割をし、他方では、巻線始端部８４ａ及び巻線終端部８４ｅにおいて巻線ワイヤ８２ｄの引張り負荷を軽減する働きをする。そのために、第二のワイヤ案内部４４は、図２ａでは脚部３０から突出する二つのピン４５ａ，ｂを有し、図２ｂ−ｄではそれぞれ突出する鉤部４６ａ，ｂを有している。こうして、自由ワイヤ部８６ｅ−ｍは、それぞれが第一のワイヤ案内部４２と第二のワイヤ案内部４４の間に延在する。
【００２７】
図２ａにおける自由ワイヤ部８６ｅ，ｆが、最短距離でワイヤ案内部４２と４４との間に延在する一方、図２ｂにおける自由ワイヤ部８６ｇ，ｈは、湾曲部８８を有し、とりわけ、拡げられたＵ字状の湾曲部を有している。この湾曲部は、本実施例では、コイル巻線８２の巻回面に概ね垂直に形成されている。
【００２８】
図２ｃ及び２ｄにより示されたコイル１０では、自由ワイヤ部８６ｉ，ｋ；８６ｌ，ｍは、外部から加えられる振動を散逸できるように、異なる向きを有した螺旋状の部分９０，９２を巻き枠２０の傍に有している。ここで、図２ｃでは、当該部分９０は、一重に螺旋が巻かれており、コイル１０の巻回面に対して垂直に配置された螺旋面を有して形成されている。図２ｄにおける部分９２は、幾重にも螺旋が巻かれており、その螺旋面は、コイル１０の巻回面と概ね一致する。螺旋面とは、この関係では、巻線ワイヤ８２ｄを一巻きした際にできる中間面のことである。
【符号の説明】
【００２９】
１０          コイル
１２ａ        巻き部
２０          巻き枠
２２          巻き部
６２          巻き部
２４          巻線支持体
３０          脚部
４０          脚部
４２          第一のワイヤ案内部
４２ａ        ワイヤ導入部
４２ｂ        ワイヤ導出部
４４，ａ，ｄ  第二のワイヤ案内部
４５ａ，ｂ    ピン
４６ａ，ｂ    鉤部
６０          巻き枠
６４          巻線支持体
７０          脚部
８０          脚部
８２          ワイヤ巻線
８２ａ，ｅ    コイル端部，巻線端部
８２ｄ        巻線ワイヤ
８４ａ        巻線始端部
８４ｅ        巻線終端部
８６ａ−ｍ    自由ワイヤ部
８８          湾曲部
９０，９２    螺旋状の部分
【図１ａ−１ｂ】
0006622729.tif 000002
【図２ａ−２ｂ】
0006622729.tif 000003
【図２ｃ−２ｄ】
0006622729.tif 000004